(57)【要約】【課題】紙タオル束包装体をより衛生的なものとする。【解決手段】  複数の紙タオルが折り畳まれ積層されてなる紙タオルの束が、上面に裂開口形成用のミシン目線が形成された軟質の包装フィルムにより包装され、前記ミシン目線を裂開して形成される裂開口から紙タオルを順次取り出せるようにした紙タオル束包装体であって、前記包装フィルムが抗菌剤を含む、紙タオル束包装体により解決される。【選択図】図１
2018090320.tif 000002
【特許請求の範囲】
【請求項１】
複数の紙タオルが折り畳まれ積層されてなる紙タオルの束が、上面に裂開口形成用のミシン目線が形成された軟質の包装フィルムにより包装され、前記ミシン目線を裂開して形成される裂開口から紙タオルを順次取り出せるようにした紙タオル束包装体であって、前記包装フィルムが抗菌剤を含む、ことを特徴とする紙タオル束包装体。
【請求項２】
前記包装フィルムが樹脂製フィルムに抗菌剤を塗工したものであって、少なくとも外方側が抗菌剤塗工面となっている、請求項１記載の紙タオル束包装体。
【請求項３】
前記包装フィルムは、帯電防止剤を含む請求項１又は２記載の紙タオル束包装体。
【発明の詳細な説明】
【技術分野】
【０００１】
本発明は、紙タオルの束を包装フィルムで包装した紙タオル束包装体に関する。特に、複数枚の紙タオルを折り畳み積層してなるポップアップ式の紙タオルの束を柔軟な包装フィルムにより包装した紙タオル束包装体に関する。
【背景技術】
【０００２】
ペーパータオルやキッチンタオルなどの紙タオルには、複数枚を折り畳み重ねてなる所謂ポップアップ式とした紙タオルの束を、軟質の包装フィルムによって包装して製品化されているものがある。この紙タオル束包装体は、包装フィルムの上面部分にミシン目線等が設けられていて、このミシン目線を裂開してスリット状の裂開口を形成し、その裂開口を広げて紙タオルの束ごと包装フィルムから取り出してディスペンサー等にセットして使用したり、ディスペンサーを用いずに包装フィルムを外装として、そのスリット状の裂開口から紙タオルを一枚又は一組ずつポップアップして順次取り出して使用したりする。特に、飲食店や生鮮食料品店などの店舗ではない一般家庭では、ディスペンサーがないことがほとんどであり、ディスペンサーにセットしない、後者の包装フィルムを外装としたままポップアップして順次取り出して使用する態様が主となる。
【０００３】
ところで、ペーパータオルやキッチンタオルなどの紙タオルは、キッチン、厨房、洗面所、化粧室などの衛生的であることが求められる場面、場所で使用される。このため、紙タオル束包装体においては、上述の包装フィルムを外装としたままポップアップして順次取り出して使用する際に、衛生的に紙タオルが使用できるように開封後に紙タオル束包装体の裂開口から手に付着した水や塵が入りづらいようにしたり、濡れた手や汚れた手で触れた紙タオルが包装フィルム内に落ち込まないようにしたりすることが求められている（特許文献１等）。
【０００４】
他方で、紙タオル束包装体は、持ち運びや移動が容易であるため包装フィルムに接触することが多々ある。そして、例えば、店舗の化粧室で使用される際には、不特定の者が包装フィルムに接触する機会があり、また、一般家庭向けの製品の場合は、店舗等で陳列棚に並べられて市販される態様をとるため、不特定の購入予定者が手にとった後、購入せずに陳列棚に戻すこともある。このように、紙タオル束包装体は、不特定の者が接触する機会があり、それは、紙タオル自体や束に限られていない。そして、このような紙タオル束包装体への接触は、必ずしも手洗い後の清潔な手のみならず、手洗い前の衛生的ではない手で触れられることもある。
【０００５】
しかしながら、従来の紙タオル束包装体は、水や塵やゴミといった汚れが包装体内部に侵入しづらいようにするという、紙タオルや束の汚染にのみ着目されており、包装フィルム等のその他の構成部材については衛生面において特段の配慮がされていなかった。そして、不特定の者が接触した紙タオル束包装体を、衛生面において慎重な場面や場所おいて使用することに不安視する者もおり、より衛生的に使用できる紙タオル束包装体が求められている。
【先行技術文献】
【特許文献】
【０００６】
【特許文献１】特開２０１６−６７７５７号公報
【発明の概要】
【発明が解決しようとする課題】
【０００７】
そこで、本発明の主たる課題は、不特定の者の接触による汚染に対して安心感があり、しかも、紙タオル束包装体に求められる紙タオルの引き出し時における使用感にも優れ、衛生面においても優れる紙タオル束包装体を提供することにある。
【課題を解決するための手段】
【０００８】
上記課題を解決した本発明は以下のとおりである。
〔請求項１記載の発明〕
複数の紙タオルが折り畳まれ積層されてなる紙タオルの束が、上面に裂開口形成用のミシン目線が形成された軟質の包装フィルムにより包装され、前記ミシン目線を裂開して形成される裂開口から紙タオルを順次取り出せるようにした紙タオル束包装体であって、前記包装フィルムが抗菌剤を含む、ことを特徴とする紙タオル束包装体。
【０００９】
〔請求項２記載の発明〕
前記包装フィルムが樹脂製フィルムに抗菌剤を塗工したものであって、少なくとも外方側が抗菌剤塗工面となっている、請求項１記載の紙タオル束包装体。
【００１０】
〔請求項３記載の発明〕
前記包装フィルムは、帯電防止剤を含む請求項１又は２記載の紙タオル束包装体。
【発明の効果】
【００１１】
以上のとおり、本発明によれば、抗菌剤によって雑菌等の繁殖を抑えることができ、不特定の者の接触による汚染に対して安心感があり、しかも、紙タオル束包装体に求められる紙タオルの引き出し時における使用感にも優れ、衛生面においても優れる紙タオル束包装体が提供される。
【００１２】
特に、帯電防止剤を含む場合には、汚れや紙粉の付着を抑えることができ、より衛生的に使用することができるとともに、紙タオルがフィルムに引き寄せられがたくなり、包装体内への紙タオルの落ち込みや、取出し口から出ている紙タオルが天面に付きにくくなるため、ポップアップ性もより良好になる。
【００１３】
また、抗菌剤を塗工する場合には、樹脂製フィルムのソフトネスが高まるよう硬くすることができるため、包装体内への紙タオルの落ち込みや取出し口から出ている紙タオルが天面に付きにくくなり、ポップアップ性もより優れるようになる。
【００１４】
抗菌剤塗工面が、外方側のみの場合、紙タオルに抗菌剤が付着しがたくなり、使用者の安心感に優れるものとなる。
【図面の簡単な説明】
【００１５】
【図１】本発明に係る紙タオル束包装体の斜視図である。
【図２】本発明に係る紙タオル束包装体の使用時の斜視図である。
【図３】本発明に係る包装フィルムの一例の断面図である。
【発明を実施するための形態】
【００１６】
次いで、本発明の実施の形態を図１〜３を参照しながら以下に詳述する。
本実施形態に係る紙タオル束包装体１は、複数の紙タオル２を折り畳み積層してなる紙タオルの束２０を、上面部分１１にミシン目線３が形成された軟質の包装フィルム１０により包装されたものであり、そのミシン目線３を裂開して形成される裂開口３０から、一枚ずつ又は複数プライの一組ずつ紙タオル２を順次取り出すようにして使用することができるものである。
【００１７】
紙タオルの束２０は、方形の紙タオル２が二つ折りされ、その折り返し片の縁が上下に隣接する紙タオルの折り返し内面に位置するようにして、互い違いに重なり合いつつ積層された、所謂ポップアップ式とも称されるものであり、その外形は、最上位の紙タオルの折り返し片が位置する上面、最下位の紙タオルの折り返し片が位置する底面、各紙タオルの折り返し縁が並ぶ長側面、紙タオルの縁が並ぶ短側面とを有する、略直六面体をなしている。この構造の紙タオルの束２０は、最上位又は最下位に位置する紙タオルの折り返し片を引っ張ると、その直下で隣接する次の紙タオルの折り返し片が、摩擦等により引きずられて引っ張られる。この紙タオルの束２０は、公知のインターフォルダによって製造することができる。
【００１８】
紙タオルの束２０の包装フィルム１０による包装形態は、紙タオルの束２０の短側面側に封止縁１０Ｅを有するようにして、筒型フィルムの開口二方を閉じた筒型包装、束の短側面側及び底面側に封止縁を有するようにした、ピロー包装とすることができる。また、マチの有無は必ずしも限定されないが、紙タオルの束２０は高さを有する直六面体形状であるため、その形状に近い内方領域が形成される包装形態が好ましく、特に、長側面側にマチを有するガセット包装であるのが望ましい。図示の形態では、好適な、筒型フィルムの開口二方を閉じた筒型包装であり、特にマチ付のガセット包装となっている。
【００１９】
ここで、本発明に係る紙タオル束包装体１は、特徴的に包装フィルム１０に抗菌剤が含まれており、使用者、購入者又は購入検討者等が触れる紙タオル束包装体１の少なくとも外面に抗菌効果を有する。したがって、店舗において陳列されている際に、購入者、使用者である自分以外の不特定の者が、紙タオル束包装体１を手にとっていたとしても、その手に付着していた菌の繁殖による衛生的な不安が低減される。また、飲食店などの店舗の化粧室等の不特定の者が使用することが前提の場所で使用されても、使用の際に菌繁殖に対する衛生的な不安が低減される。
【００２０】
抗菌剤を含む包装フィルム１０は、抗菌剤を練り込んだ樹脂製フィルムであってもよいし、表面に抗菌剤を塗工した樹脂製フィルムであってもよい。抗菌剤を練り込んだ樹脂製フィルムとした場合には、包装フィルムの表裏において抗菌効果を発揮させることができる利点がある。但し、本発明における紙タオル束包装体において好ましい形態は、包装フィルムの一方面に抗菌剤が偏在し、その存在面が外方側となるようにして紙タオル束が包装されているものである。このような態様は、図３に示すような、樹脂製フィルム１０ａの一方面に抗菌剤を塗工（塗工部分を１０ｂで示す）した包装フィルム１０とするか、抗菌剤を練り込んだ樹脂製フィルムと抗菌剤を練り込んでいない樹脂製フィルムとを積層した包装フィルムによって達成することができる。この形態は、紙タオル束包装体１を手に取る際に触れる外方側に抗菌剤を偏在させることができるため、抗菌剤の使用量を少なくすることもできる。さらに、紙タオル束包装体１において、包装フィルム１０の内方側に抗菌剤があると紙タオル束２０と抗菌剤が接触することになる。抗菌剤の生体への影響に関係なく、食材や口周りの拭き取りに使用されることもある紙タオル２と抗菌剤とが直接に接することを嫌う者もいるため、手には触れるが紙タオル束２０には触れない包装フィルム１０の特に外方側のみに抗菌剤が偏在されている形態が望ましい。ここで、特に好ましい形態は、樹脂製フィルム１０ａの一方面に抗菌剤を塗工した包装フィルム１０を用いたものである。樹脂製フィルム１０ａに抗菌剤を塗工したものは、製造が容易で仕様変更もしやすい。なお、使い捨てされる紙タオル束包装体１の包装フィルム１０に対して抗菌剤を含ませることは行なわれておらず、所望の抗菌効果が得られるか不明であったが、少なくとも表面に抗菌剤を塗工することで一方面に抗菌剤を偏在させるようにした場合、過度にコスト高にならず十分な抗菌効果が得られるとともに紙タオル束包装体１に要求される引き出し性などを確保できることを発明者らは知見している。
【００２１】
ここで、樹脂製フィルム１０ａに抗菌剤を塗工したものは、ＵＶニスやＯＰニスとも称される樹脂用やフィルム用のニス等の樹脂製フィルムに塗工可能なコーティング剤に対して抗菌剤を含有させたものを基材フィルムとなる樹脂製フィルム１０ａに塗工することで形成することができる。ＵＶニスの具体例としては、株式会社Ｔ＆Ｋ ＴＯＫＡ製のＵＶ１６１、ＯＰニスの具体例としては、株式会社Ｔ＆Ｋ ＴＯＫＡ製  ピクセスプラスＯＰニスが例示できる。この樹脂製フィルム１０ａへのＵＶニスやＯＰニス等のコーティング剤の塗工は、グラビア印刷等の公知の印刷塗工技術によることができる。特に、樹脂製フィルム１０ａに対してコーティング剤によって抗菌剤を含ませた包装フィルム１０は、スリット状に形成された裂開口である取出口３０の形状保持性が改善され、紙タオル束包装体１に求められる紙タオル２の引き出し時における使用感に優れるものとなる。特に、低コスト化のために紙タオルの坪量を低くするとスリット状の裂開口から内部への落ち込みが発生しやすくなるが、コーティング剤によって抗菌剤を含ませた包装フィルムは、スリット状に形成された裂開口である取出口の形状保持性が改善されるため、落ち込みが発生しがたくなる。さらにこの低坪量化にともなって、低いウェブ嵩とすることもでき輸送費を改善することもできる。ここで、ＵＶニスやＯＰニス等のコーティング剤の塗工厚は、０．２〜５μｍであるのが望ましく、より好ましくは１〜３μｍである。この範囲であれば、取出口の形状維持効果が得られるとともに、十分な抗菌効果のある塗工膜を形成することができる。
【００２２】
なお、包装フィルム１０のソフトネスは、８．０〜５０ｃＮ／１００ｍｍであるのが望ましい。ここでのソフトネスは、ＪＩＳ  Ｌ  １０９６  Ｅ法に準じたハンドルオメータ法に従って測定した値である。但し、試験片は１００ｍｍ×１００ｍｍの大きさとし、クリアランスは１５ｍｍとして実施した。測定は全１０回行い、その平均値を、ｃＮ／１００ｍｍの単位と定義し表した。
【００２３】
包装フィルム１０に含ませる抗菌剤の種類は、限定されないが、好ましい抗菌剤としては、銀イオン系、芳香族系、脂肪族カチオン系の抗菌剤が挙げられる。特に、好ましいのは、生体への毒性が低く、手指の殺菌消毒薬として使用されることもある、特許第２５８２５１６号で抗菌剤として開示されているトリクロサン（２，４，４’−トリクロロ−２’−ヒドロキシジフェニルエーテル）が挙げられる。トリクロサンを効果成分とする抗菌剤製品で、繊維・紙用の「アモルデンＥＣ（大和化学工業株式会社製）」などを使用することもできる。トリクロサンは、上記のニスやバインダー等のコーティング剤を用いて樹脂製フィルムに塗工した態様においても十分な抗菌効果を有する。また、脂肪族カチオン系抗菌剤として、「アモルデンＰＰＣ（大和化学工業株式会社製）」も好適に使用できる。これは、液体状のためニス内での分散性に優れており、望ましい。ＯＰニス又はＵＶニスに対して抗菌剤を含有させる場合の含有率は、抗菌力や塗工性等を考慮して調整する。なお、上記の芳香族系、脂肪族カチオン系の抗菌剤であれば、ＯＰニス又はＵＶニスに対する含有量は、１〜４質量％程度である。
【００２４】
他方、包装フィルムは、帯電防止剤を含むのが望ましい。帯電防止剤を含む場合には、汚れや紙粉の付着を抑えることができ、より衛生的に使用することができる、また、紙タオルがフィルムに引き寄せられがたくなり、包装体内への紙タオルの落ち込みや、取出し口から出ている紙タオルが天面に付きにくくなり、ポップアップ性もより良好になる。帯電防止剤は、予め樹脂製フィルムに練り込んでもよいし、上記ＵＶニスやＯＰニス等のコーティング剤に抗菌剤とともに又は別途に混合して塗工してもよい。また、ＵＶニスやＯＰニス等のコーティング剤を用いずに塗工できるものであれば、そのまま塗工するようにしてもよい。後処理で帯電防止効果を付与することができ、また、汎用の樹脂製フィルムを用いることができ、さらに、使用量を少なくできることから、そのまま樹脂製フィルムに塗工できる種の帯電防止剤を用いるのがよい。帯電防止剤の具体的な例として、樹脂製フィルムに練り込むものとしては、エレクトロストリッパー  ＴＳ−３Ｂ（花王株式会社製）が挙げられ、ＵＶニスやＯＰニス等のコーティング剤に混合するものとしては、エレクトロストリッパー  ＭＥシリーズ（花王株式会社製）、そのまま塗工できる種のものとしては、ＡＳＡ−２０３０（高松油脂株式会社製）が挙げられる。また、予めニスに混合されている、ＵＶ１６１静電防止ＯＰニスＳ（株式会社Ｔ＆Ｋ ＴＯＫＡ製）も例示できる。
【００２５】
包装フィルム１０の基材となる樹脂製フィルム１０ａは、ポリエチレン（ＰＥ）、ポリプロピレン（ＰＰ）、ポリエチレンテレフタレート（ＰＥＴ）、ポリスチレン（ＰＳ）、ポリ塩化ビニルアルコール（ＰＶＡ）、ポリ塩化ビニル（ＰＶＣ）、エチレン・酢酸ビニル重合体（ＥＶＡ）などの公知の軟質のフィルムを用いることができる。複数フィルム素材が積層された積層フィルムであってもよい。熱融着性にも優れるなど包装性や取扱い性に優れ、しかも安価であることから、ポリエチレン、ポリプロピレン、ポリエチレンテレフタレートが特に望ましい。なお、包装フィルムの厚みは、２０〜６０μｍ程度である。
【００２６】
他方、ミシン目線３は、内包される紙タオルの束２０の上面に対面して位置する包装フィルム１０の上面部分１１にスリット状の裂開口を形成するためのものであり、上面部分１１の短手方向の中央部で、紙タオル束包装体１の長手方向に延在するように直線状に形成されている。ミシン目線３は、一重ミシン目線のほか、二重ミシン目線、ジッパーミシン目線等のミシン目線により形成することができる。ミシン目線３の形成方法は、公知の技術によって形成することができ、また、カットタイ比等は、包装フィルムの材質、厚さ等を考慮して裂開可能な範囲を適宜に設定すればよい。
【００２７】
ミシン目線３の長さは、紙タオルの束２０の長手方向長さに対して８０〜１２０％とすることができる。１００％以上あって両側部が束の短側面側に至るまで延在していてもよいが、１００％以上であると束の短側面が露出されるおそれが高まり、塵や埃、水が内部に侵入しやすくなるとともに、手で束へ直接に接触しやすくなるため、衛生面の点からは１００％未満であるのが望ましい。さらに、８０〜１００％未満であると裂開口の形状保持性が高く、紙タオルを引き出した際に紙タオルが内部に落込み難くなる。より好ましくは９０〜１００％未満であると、紙タオル２が裂開口３０の両端部により引っ掛かり難くよりスムーズに引き出せるようになる。
【００２８】
紙タオルの束２０の大きさは、上面及び底面の形状が、奥行６０〜１３０ｍｍ×幅２００〜３００ｍｍ、高さが２０〜１１０ｍｍ程度である。上面及び底面の形状は、包装フィルムとの関係で適切な形状とする。包装フィルムとして、樹脂製フィルムに抗菌剤を塗工したものを用いる場合には、そのソフトネス等を考慮して形状を定める。
【００２９】
他方、本発明の紙タオル束包装体における紙タオル２の物性・組成は、必ずしも限定されない。繊維原料をパルプ繊維とするものの他、不織布からなるものでもよい。また、１プライ、または２プライ以上の複数プライのものとすることができる。また、紙タオル２は、ＪＩＳ Ｐ ８１２４（１９９８）に基づく１プライ当たりの坪量が８〜５０ｇ／ｍ2、好ましくは１０〜４０ｇ／ｍ2である。また、紙厚は、試験片をＪＩＳ Ｐ ８１１１（１９９８）の条件下で十分に調湿した後、同条件下でダイヤルシックネスゲージ（厚み測定器）「ＰＥＡＣＯＣＫＧ型」（尾崎製作所製）を用いて測定し、８０〜２００μｍ、より好ましくは１００〜１５０μｍである。乾燥引張紙力はＪＩＳ  Ｐ  ８１１３（２００６）に基づき、乾燥引張紙力（縦）が８００〜２０００ｃＮ、乾燥引張紙力（横）が２００〜１０００ｃＮである。湿潤引張紙力はＪＩＳ  Ｐ  ８１３５に基づき、湿潤引張紙力（縦）が２００〜１５００ｃＮ、湿潤引張紙力（横）１００〜１０００ｃＮである。なお、各引張紙力及び伸び率における試料は、２５ｍｍ幅での測定値である。
【実施例】
【００３０】
本発明に係る包装フィルムの抗菌効果について検証した。
（試験１）
ポリエチレンフィルムの一方面に抗菌剤（アモルデンＥＣ ｃｏｎｃ（大和化学工業株式会社製））を０．２質量％混合したＯＰニスを塗工した厚さ４０μｍの包装フィルム（試料１）を作成し、これと抗菌剤を付与していない厚さ４０μｍのポリエチレンフィルム（ブランク試料）とについて、大腸菌（Escherichia coli NBRC 3972）に対する抗菌効果を検証した。試験は、ＪＩＳ  Ｚ  ２８０１：２０１０の抗菌加工製品−抗菌性試験方法・抗菌効果に準じて行なった。結果は、下記表１のとおりである。
【００３１】
【表１】
2018090320.tif 000003
【００３２】
表１に示されるとおり、樹脂製フィルムに抗菌剤を塗工して形成した包装フィルムでも大腸菌に対する抗菌効果が得られることが知見された。なお、ブランクに対する抗菌活性値２．０以上を抗菌効果有りとしている。
【００３３】
（試験２）
次に、この包装フィルムを用いた紙タオル束包装体（実施例１）と、比較対象の紙タオル束包装体（比較例１〜３）とについて紙タオルのポップアップ性を検証した。結果は下記表２に示す。
【００３４】
【表２】
2018090320.tif 000004
【００３５】
本発明に係る紙タオル束包装体は、抗菌剤を塗工した包装フィルムを用いたうえ、紙タオルを低坪量かつ低ウェブ嵩としたが、抗菌剤を塗工していない比較対称の包装フィルムのものと同様に十分なポップアップ性を有することが知見された。
【００３６】
（試験３）
さらに、本発明に係る包装フィルムを用いた紙タオル束包装体（実施例２〜７）を作成し、これと比較対象の紙タオル束包装体（比較例４〜６）について紙タオルのポップアップ性と抗菌性と塗工適性とを検証した。結果は、各例の物性値等とともに下記表３に示す。なお、試験３において使用した紙タオルは、試験１の実施例１と同様であり、束を構成する紙タオルの組数は、２００組とした。
【００３７】
使用した抗菌剤は、実施例２、実施例５及び実施例６は、芳香族化合物系抗菌剤であるアモルデンＥＣ ｃｏｎｃ（大和化学工業株式会社製）であり、実施例３、実施例４及び実施例７は、脂肪族カチオン系抗菌剤であるアモルデンＰＰＣ（大和化学工業株式会社製）である。アモルデンＥＣ ｃｏｎｃは粉末形態、アモルデンＰＰＣは液体形態である。これらの抗菌剤をＵＶニス又はＯＰニスに混合して樹脂フィルムに塗工した。
樹脂フィルムは、同一物性で厚みのことなるＰＥを用いた。
各例に係る包装形態はすべて同様のピロー包装であり、長手方向長さが２１０ｍｍである。また、上面に形成したミシン目の長さは、１９０ｍｍである。
【００３８】
ポップアップ性については、ミシン目を裂開して形成した取出口から、８０ｃｍ／ｓの速度で紙タオルを引き出した際における、包装体内に紙タオルが落ち込む回数を、束を構成する紙タオルの組数で割り（落ち込み回数／紙タオル入り数）、その率を算出し確認するとともに、ミシン目から出ている紙タオルの端が天面に付く回数（ミシン目で紙タオルがホールドされず、倒れてしまう回数）を、束を構成する紙タオルの組数で割り（フィルム天面にシートが付く回数／紙タオル入り数）、その率を算出し確認することとした。
【００３９】
抗菌性は、試験１と同様に、ＪＩＳ  Ｚ  ２８０１：２０１０の抗菌加工製品−抗菌性試験方法・抗菌効果に準じて行なった。但し、試験１の大腸菌（Ｅｓｃｈｅｒｉｃｈｉａ ｃｏｌｉ  ＮＢＲＣ  ３９７２）に対する抗菌効果に加え、黄色ブドウ球菌に対する抗菌性も確認した。評価は、大腸菌と黄色ブドウ球菌両方の抗菌活性値が２以上のものを◎、何れか一方のみ抗菌活性値が２以上のものを○、いずれの抗菌活性値も２未満のもの×と評価した。
【００４０】
塗工適性は、フィルムの印刷ムラが発生しない（塗工によって印刷がぼやけたり、抗菌剤の色が付いたりしていない）ものを○、フィルムの印刷ムラが発生しているものを△と評価した。
【００４１】
【表３】
2018090320.tif 000005
【００４２】
結果、本実施例２〜５は、ポップアップ性、抗菌性、塗工適性ともに非常に優れるものとなった。実施例６及び実施例７は、ポップアップ性については十分に優れた。実施例６は、他の実施例と比較する抗菌剤の使用量がかなり少なく、抗菌性の低下が確認されたが大腸菌に対しては十分な抗菌性が得られた。実施例７は、他の実施例と比較すると抗菌剤の使用量が多いためやや塗工性が低下した。
対して、比較例４〜５は、ポップアップ性及び抗菌性ともに劣る結果となった。
【００４３】
以上の（試験１）から（試験３）の結果のとおり、本発明の紙タオル束包装体は、不特定の者の接触による汚染に対して安心感があり、しかも、紙タオル束包装体に求められる紙タオルの引き出し時における使用感にも優れる。
【符号の説明】
【００４４】
１…紙タオル束包装体、２…紙タオル、２０…紙タオルの束、１１…紙タオル束包装体（包装フィルム）の上面部分、３…ミシン目線、１０…包装フィルム、３０…裂開口（取出口）、１０Ｅ…封止縁、１０ａ…樹脂製フィルム、１０ｂ…抗菌剤塗工部分。
【図１】
2018090320.tif 000006
【図２】
2018090320.tif 000007
【図３】
2018090320.tif 000008